(57)【要約】【課題】  本発明は、胴縁を外壁材の外部に配設する構成において、胴縁が熱伸縮した場合であっても、胴縁を安定して保持することが出来る壁の出隅部構造を提供することを可能にすることを目的としている。【解決手段】  長手方向にガイド部12が形成される胴縁10と、該ガイド部12を長手方向に摺動可能に把持する把持部21が形成される保持部材20と、該保持部材20を外壁材60の壁面60ａに対して固定するプレート30、開脚釘40、ブラケット50からなる固定手段とを有する胴縁固定具１によって、胴縁10のガイド部12が把持部21に沿って摺動可能となるように、胴縁10が出隅部の壁面60ａに対して固定され、胴縁10に外装材９が固定された構成であることを特徴とする。【選択図】      図２
2008156905.tif 000002
【特許請求の範囲】
【請求項１】
壁の出隅部構造であって、
長手方向にガイド部が形成される胴縁と、前記ガイド部を長手方向に摺動可能に把持する把持部が形成される保持部材と、前記保持部材を壁面に対して固定する固定手段とを有する胴縁固定具によって、
前記胴縁の前記ガイド部が前記把持部に沿って摺動可能となるように、前記胴縁が出隅部の壁面に対して固定され、
前記胴縁に外装材が固定されたことを特徴とする壁の出隅部構造。
【請求項２】
前記壁の出隅部が互いに直交する軽量気泡コンクリートパネルのうち第１の軽量気泡コンクリートパネルの内表面側に対向して第２の軽量気泡コンクリートパネルの小口面が配置され、
前記胴縁固定具によって、
前記胴縁の前記ガイド部が前記把持部に沿って摺動可能となるように、前記胴縁が前記第１、第２の軽量気泡コンクリートパネルの外表面及び前記第１の軽量気泡コンクリートの小口面に対して固定されたことを特徴とする請求項１に記載の壁の出隅部構造。
【発明の詳細な説明】
【技術分野】
【０００１】
本発明は、壁の出隅部構造に関するものである。
【背景技術】
【０００２】
従来、鉄筋コンクリート等の外壁材と、当該外壁材に埋め込まれるアンカーボルト等の金属製の固定部材は、それらの線膨張率がほぼ同じであったため、特に熱伸縮による対策はとられていなかった。
【０００３】
しかし、最近では、金属製の胴縁を、胴縁を固定する固定手段によりコンクリート等の外壁材の外部に固定する構成がある（例えば、特許文献１参照）。
【０００４】
また、互いに直交する外壁板の外表面と小口面とに固定された胴縁に軽量金属サイディングが取り付けられたものがある（例えば、特許文献２参照）。
【０００５】
【特許文献１】特開２００４−２５１０３１
【特許文献２】特開２０００−０５４６４９
【発明の開示】
【発明が解決しようとする課題】
【０００６】
しかしながら、前述の特許文献１、２のように、胴縁が外壁材の外に配設されることとなると、胴縁は外壁材よりも熱容量が小さいため、熱の影響を受け易くなる。
【０００７】
熱伸縮の影響が現れやすい比較的大規模な建築物であっても固定方法について必ずしも外側の構造と内側の構造の熱伸縮の差が考慮されているわけではなかったことが、近年の台風により外側の構造が脱落した際に、固定手段及びその周辺が胴縁の熱伸縮により損傷していたことが発覚したことから分かった。このため、このままでは、胴縁が熱伸縮すると、外壁材がコンクリートのような硬質の材料の場合は胴縁の固定手段自体が損傷したり、外壁材が軽量気泡コンクリート（ＡＬＣ）のような軟質の材料の場合は胴縁の固定手段が外壁材を傷めるおそれがある。
【０００８】
本発明は前記課題を解決するものであり、その目的とするところは、胴縁を外壁材の外部に配設する構成において、胴縁が熱伸縮した場合であっても、胴縁を安定して保持することが出来る壁の出隅部構造を提供せんとするものである。
【課題を解決するための手段】
【０００９】
前記目的を達成するための本発明に係る壁の出隅部構造の第１の構成は、長手方向にガイド部が形成される胴縁と、前記ガイド部を長手方向に摺動可能に把持する把持部が形成される保持部材と、前記保持部材を壁面に対して固定する固定手段とを有する胴縁固定具によって、前記胴縁の前記ガイド部が前記把持部に沿って摺動可能となるように、前記胴縁が出隅部の壁面に対して固定され、前記胴縁に外装材が固定されたことを特徴とする。
【００１０】
また、本発明に係る壁の出隅部構造の第２の構成は、前記第１の構成において、前記壁の出隅部が互いに直交する軽量気泡コンクリートパネルのうち第１の軽量気泡コンクリートパネルの内表面側に対向して第２の軽量気泡コンクリートパネルの小口面が配置され、前記胴縁固定具によって、前記胴縁の前記ガイド部が前記把持部に沿って摺動可能となるように、前記胴縁が前記第１、第２の軽量気泡コンクリートパネルの外表面及び前記第１の軽量気泡コンクリートの小口面に対して固定されたことを特徴とする。
【発明の効果】
【００１１】
本発明に係る壁の出隅部構造によれば、胴縁を外壁材の外部に配設する壁の出隅部構造であって胴縁が熱伸縮した場合であっても、胴縁を安定して保持することが出来、胴縁に固定された外装材を安定して支持することが出来る。
【発明を実施するための最良の形態】
【００１２】
図により本発明に係る壁の出隅部構造の一実施形態を具体的に説明する。先ず、図１〜図４を用いて本発明に係る壁の出隅部構造の第１実施形態の構成について説明する。図１は本発明に係る壁の出隅部構造の第１実施形態の構成を示す分解斜視図、図２は本発明に係る壁の出隅部構造の第１実施形態の構成を示す横断面説明図、図３は第１実施形態において、開脚釘によりブラケットを壁面に固定する様子を示す断面説明図、図４は胴縁の取付構造を説明する斜視説明図である。
【００１３】
図１〜図４において、２は壁の出隅部構造であって、長手方向にガイド部12が形成される胴縁10と、該胴縁10のガイド部12を長手方向に摺動可能に把持する把持部21が形成される保持部材20と、該保持部材20を外壁材60の壁面60ａに対して固定する固定手段（プレート30、開脚釘40、ブラケット50）とを有する胴縁固定具１によって、胴縁10のガイド部12が把持部21に沿って摺動可能となるように胴縁10が出隅部の外壁材60の壁面60ａに対して固定される。
【００１４】
本実施形態では、図２及び図４に示すように、壁の出隅部が互いに直交する軽量気泡コンクリートパネルＡ，Ｂからなる外壁材60のうち第１の軽量気泡コンクリートパネルＡの内表面A1側に対向して第２の軽量気泡コンクリートパネルＢの小口面B2が配置され、胴縁固定具１によって、胴縁10のガイド部12が保持部材20の把持部21に沿って摺動可能となるように、該胴縁10が第１、第２の軽量気泡コンクリートパネルＡ，Ｂの外表面A3，B3及び第１の軽量気泡コンクリートＡの小口面A2に対して固定される。
【００１５】
また、第１、第２の軽量気泡コンクリートパネルＡ，Ｂの外表面A3，B3対して固定される胴縁10、及び第１の軽量気泡コンクリートＡの小口面A2に対して固定される胴縁10は、該第１、第２の軽量気泡コンクリートパネルＡ，Ｂの外表面A3，B3の幅寸法及び第１の軽量気泡コンクリートＡの小口面A2の厚み寸法にそれぞれ対応した長さを有して分割して構成されている。
【００１６】
胴縁10は、長手方向に、胴部11から外側方向に突出したレール状のガイド部12を有する。本実施形態は横胴縁であるため、胴部11は横方向に長く構成され、胴縁10の側面に配設されるガイド部12は胴部11から上下方向に突出することになる。
【００１７】
保持部材20は、胴縁10のガイド部12を上下両側面から把持するため、保持部材20の表面方向に突出する把持部21を有する。把持部21は、胴縁10のガイド部12を把持するが、ガイド部12と若干の間隙を有するように把持する。このため、胴縁10のガイド部12は、把持部21によって摺動可能に把持される。保持部材20は、ビスＳが貫通するビス穴22が形成される。また、保持部材20の中央部には、開口部23が設けられる。
【００１８】
図２に示すように、プレート30は保持部材20の裏面に当接し、ビスＳによって保持部材20を固定する。プレート30の中央には、後述するブラケット50の胴縁側固定軸51の外周面に形成されたネジ部51ａが螺合するためのネジ穴31が形成される。
【００１９】
ブラケット50は、胴縁10側に突出する胴縁側固定軸51と、これと反対方向の外壁材60側に突出する外壁側固定軸52と、該胴縁側固定軸51と外壁側固定軸52との間に配設され、各軸51，52よりも径の大きい鍔部53とを有する。胴縁側固定軸51は、プレート30のネジ穴31と螺合するネジ部51ａが形成される。また、胴縁側固定軸51及び外壁側固定軸52の内部にはブラケット50の軸方向に貫通する貫通孔51ｂが形成される。
【００２０】
外壁材60は、ブラケット50の外壁側固定軸52を取り付けるための、溝61が形成されている。本実施形態の外壁材60は軽量気泡コンクリート（ＡＬＣ）パネルＡ，Ｂで構成された一例であるが、外壁材60の材質は特に限定するものではない。
【００２１】
外壁材60に胴縁10を固定する場合、図３（ａ）に示すように、先ず、外壁材60の溝61に対して、モルタルや接着剤等の充填材３を充填し、該溝61にブラケット50の外壁側固定軸52を挿し込む。この状態で、開脚釘40をブラケット50の貫通孔51ｂを通して外壁材60に対して打ち込む。
【００２２】
開脚釘40をブラケット50の貫通孔51ｂを通して外壁材60に対して打ち込む場合、先ず、図３（ａ）に示すように、ブラケット50の貫通孔51ｂに開脚釘40の第１の釘体41を挿通し、該第１の釘体41を外壁材60に打設する（図３（ｂ）参照）。
【００２３】
釘体41の先端部に設けられた開脚制御部41ａの外径は第２の釘体42の外径と略同じかそれよりも大きな外径を有して構成されており、釘体41と一体的に外壁材60内に打設される開脚制御部41ａにより釘体42の進路前方が予め開孔される。
【００２４】
そして、図３（ｂ）に示すように、ブラケット50の鍔部53が外壁材60に当接した状態で該第１の釘体41の頭部41ｂをブラケット50の貫通孔周縁部51ｃに係止する。第１の釘体41が外壁材60内に完全に打設され、頭部41ｂの下面がブラケット50の貫通孔周縁部51ｃに係止された段階で、ブラケット50の貫通孔51ｂに、第１の釘体41に沿って第２の釘体42を挿通し、該第２の釘体42の頭部42ｂを打ち込む。釘体42は釘体41により形成された開孔に沿って外壁材60内に打設される（図３（ｃ）参照）。
【００２５】
開脚制御部41ａの釘体42側には該釘体42の先端部42ａの進行方向を変更して先端を開脚させるためのガイド面41a1が設けられており、第２の釘体42の頭部42ｂを打ち込んで第１の釘体41の先端部に設けられた開脚制御部41ａのガイド面41a1に沿って釘体42の先端部42ａが案内されることにより該釘体42の先端部42ａの進行方向を変更して該釘体42の先端を開脚させる（図２参照）。
【００２６】
そして、第２の釘体42の頭部42ｂをブラケット50の貫通孔周縁部51ｃに係止してブラケット50を外壁材60に固定する。
【００２７】
開脚釘40を用いてブラケット50を固定することにより、開脚釘40を含む固定手段が、容易に壁面60ａに対して取り付けられる。一方、開脚釘40は固定手段の抜けを防止するため、固定手段に固定される保持部材20をも確実に壁面60ａに対して固定される。よって、保持部材20により保持される胴縁10の抜けを防止し、確実に壁面60ａに固定することが出来る。また、胴縁10は保持部材20の把持部21にて摺動可能に構成されているため、胴縁10が熱伸縮した場合であっても、胴縁10のガイド部12が保持部材20の把持部21内で摺動することにより、胴縁10を安定して保持することが出来る。
【００２８】
次に、ブラケット50のネジ部51ａに対して、プレート30のネジ穴31を螺合させ、プレート30を外壁材60の方向にねじ込む。
【００２９】
一方、胴縁10は、予め保持部材20に対して組み立てて一体的にする。この組み立てに際しては、胴縁10の２つのガイド部12を、保持部材20の２つの把持部21の内部に摺動させる。これにより、胴縁10が保持部材20に把持され、一体的になる。
【００３０】
次に、プレート30上に保持部材20のビス穴22がくるように、保持部材20を配置し、この状態で保持部材20のビス穴22に対してビスＳを打ち込むことにより胴縁10がプレート30に対して固定される。
【００３１】
以上のような手順をとることにより、胴縁10と、保持部材20と、固定手段（プレート30、開脚釘40、ブラケット50）とを有する胴縁固定具１によって、胴縁10のガイド部12が保持部材20の把持部21に沿って摺動可能となるように、胴縁10が外壁材60の壁面60ａに対して固定される。
【００３２】
上記のように保持部材20により長手方向に摺動可能に固定された胴縁10には壁の出隅部に設けられる外装材９がビスＳにより固定される。図２に示すように、互いに直交する胴縁10の角隅部には断面Ｌ字形状の見切り部材４がリベット８により外装材９に取り付けられている。
【００３３】
リベット８の接合方法としては、互いに直交する出隅部の外装材９の突出部と見切り部材４の端部とを重ねた後、穿孔し、その孔に軸棒付のリベット８の基部を外側から差し込んだ後、軸棒を引き抜くことによりリベット８の基部が変形してリベット８により外装材９と見切り部材４とが接合される。
【００３４】
上記の壁の出隅部構造２によれば、胴縁10を外壁材60の外部に配設する壁の出隅部構造２であって該胴縁10が熱伸縮した場合であっても、該胴縁10を安定して保持することが出来、胴縁10に固定された外装材９を安定して支持することが出来る。
【００３５】
次に、図５及び図６を用いて本発明に係る壁の出隅部構造の第２実施形態の構成について説明する。図５は本発明に係る壁の出隅部構造の第２実施形態の構成を示す分解斜視図、図６は本発明に係る壁の出隅部構造の第２実施形態の構成の要部を示す断面説明図である。尚、前記第１実施形態と同様に構成したものは同一の符号を付して説明を省略する。
【００３６】
本実施形態の胴縁固定具１も前記第１実施形態と同様に胴縁10と、該胴縁10を保持する保持部材20と、保持部材20を固定する固定手段（プレート30、開脚釘40、ブラケット50）とを有して構成され、これらにより、外壁材60に断熱材70を取り付け、且つ外壁材60に胴縁10を固定したものである。
【００３７】
断熱材70は、ブラケット50の鍔部53とプレート30との間に挟持して配設され、該断熱材70には、ブラケット50の胴縁側固定軸51が貫通する貫通穴71が形成される。
【００３８】
外壁材60の壁面60ａには溝61に連続してブラケット50の鍔部53の大きさに対応する座彫部62が形成されており、該座彫部62にブラケット50の鍔部53を嵌入することで、外壁材60の壁面60ａと断熱材70の表面とが段差なく当接することが出来る。
【００３９】
そして、前記第１実施形態と同様にして開脚釘40によりブラケット50を外壁材60の壁面60ａに固定した後、断熱材70に形成される貫通穴71を、ブラケット50の胴縁側固定軸51が突出するように、該断熱材70をブラケット50に対して嵌め込む。これにより、図６に示すように、断熱材70の貫通穴71からブラケット50のネジ部51ａが突出した状態になる。
【００４０】
次に、ブラケット50のネジ部51ａに対して、プレート30のネジ穴31を螺合させ、該プレート30を断熱材70の方向にねじ込む。すると、プレート30がブラケット50のネジ部51ａに螺合され、プレート30は、断熱材70をブラケット50の鍔部53との間で挟みこんで固定される。他の構成は前記第１実施形態と同様に構成され、同様の効果を得ることが出来るものである。
【産業上の利用可能性】
【００４１】
本発明の活用例として、胴縁を外壁材の外部に配設する壁の出隅部構造に適用出来る。
【図面の簡単な説明】
【００４２】
【図１】本発明に係る壁の出隅部構造の第１実施形態の構成を示す分解斜視図である。
【図２】本発明に係る壁の出隅部構造の第１実施形態の構成を示す横断面説明図である。
【図３】第１実施形態において、開脚釘によりブラケットを壁面に固定する様子を示す断面説明図である。
【図４】胴縁の取付構造を説明する斜視説明図である。
【図５】本発明に係る壁の出隅部構造の第２実施形態の構成を示す分解斜視図である。
【図６】本発明に係る壁の出隅部構造の第２実施形態の構成の要部を示す断面説明図である。
【符号の説明】
【００４３】
Ａ，Ｂ…軽量気泡コンクリートパネル
A1…内表面
A2，B2…小口面
A3，B3…外表面
Ｓ…ビス
１…胴縁固定具
２…壁の出隅部構造
３…充填材
４…見切り部材
８…リベット
９…外装材
10…胴縁
11…胴部
12…ガイド部
20…保持部材
21…把持部
22…ビス穴
23…開口部
30…プレート
31…ネジ穴
40…開脚釘
41，42…釘体
41ａ…開脚制御部
41a1…ガイド面
41ｂ…頭部
42ａ…先端部
42ｂ…頭部
50…ブラケット
51…胴縁側固定軸
51ａ…ネジ部
51ｂ…貫通孔
51ｃ…貫通孔周縁部
52…外壁側固定軸
53…鍔部
60…外壁材
60ａ…壁面
61…溝
62…座彫部
70…断熱材
71…貫通穴
【図１】
2008156905.tif 000003
【図２】
2008156905.tif 000004
【図３】
2008156905.tif 000005
【図４】
2008156905.tif 000006
【図５】
2008156905.tif 000007
【図６】
2008156905.tif 000008